【誤訳訂正書】
【提出日】平成27年2月26日(2015.2.26)
【誤訳訂正１】
【訂正対象書類名】特許請求の範囲
【訂正対象項目名】全文
【訂正方法】変更
【訂正の内容】
【特許請求の範囲】
【請求項１】
取引システム（３）を用いて購入者（１）および小売業者（２）を識別するための方法であって、前記購入者が、前記小売業者（２）のＰＯＳ（店舗販売時点情報管理）端末（２１、２４）の前におり、前記購入者（１）および前記小売業者（２）の間で安全な電子決済を行っており、それにより、前記購入者（１）が、購入を行うために利用されるカメラ、無線周波受信機および無線周波送信機のうち少なくとも１つを備える携帯デバイス（１１）を有し：
前記ＰＯＳ端末（２１、２４）も前記購入者の携帯デバイス（１１）も、前記購入者（１）および前記小売業者（２）の口座の情報が登録されている取引システム（３）と通信し、前記取引システム（３）が、異なる通信チャネルを通して通信されることにより、前記購入者（１）から前記小売業者（２）への決済の移動を精算し、それにより、前記ＰＯＳ端末が有線の第１の通信チャネルおよび無線の第１の通信チャネルのうち少なくとも一方を通して通信し、前記携帯デバイスが無線周波数による第２のチャネルを介して無線で通信すること；
それぞれの単一の購入に、前記取引システムにより固有の取引信用照会が提供されること；
前記携帯デバイス（１１）が、前記単一のＰＯＳ端末を固有に識別する、前記ＰＯＳ端末（３）に配置されたタグ（２４’）を写真に撮るカメラおよび読み取る無線周波受信機のうち前記少なくとも一方を用いて前記ＰＯＳ端末（３）を識別するように前記購入者（１）により動作させられること；
前記携帯デバイス（１１）により、少なくとも１つの署名されたメッセージを生成し、前記第２のチャネルを通して前記取引システム（３）に伝送し、前記メッセージは、写真に撮られたタグ（２４’）および読み取られたタグ（２４’）のうち少なくとも一方をソフトウェアが処理することにより得られる前記ＰＯＳ端末（２１、２４）のＩＤおよび前記携帯デバイス（１１）の前記ＩＤを備えること；
自動的に促すことにより、前記ＰＯＳ端末（２１、２４）により少なくとも１つのメッセージを生成し、前記第２のチャネル上で前記携帯デバイスから前記取引システム（３）に伝送された前記メッセージと時間に関して独立に区別される前記少なくとも１つのメッセージを前記第１のチャネル上で前記取引システム（３）に転送し、前記少なくとも１つのメッセージが、少なくとも、前記ＰＯＳ端末の前記ＩＤ、および前記購入者（１）により支払われるべき金額を備えること；
前記第１のチャネルを通して前記ＰＯＳ端末（２１、２４）から伝送された前記少なくとも１つのメッセージを、前記第２のチャネルを通して前記携帯デバイス（１１）から伝送された前記メッセージと、前記取引システムにより照合して、前記ＰＯＳ端末（２１、２４）の前記ＩＤにより類似性を判定すること；および
前記照合により、前記第１のチャネルおよび前記第２のチャネルを介して伝送された前記ＰＯＳ端末（２１、２４）のＩＤ間の類似性が判定された場合、前記購入者（１）が、開始の許可を前記取引システムに伝送するように前記携帯デバイスを促すことにより、支払われるべき金額を許可し、したがって、前記購入者の詳細が前記ＰＯＳ端末（２１、２４）に対して匿名ではあるが、前記ＰＯＳ端末（２１、２４）のＩＤも前記購入者（１）のＩＤも前記取引システム（３）により知られ、前記取引システム（３）が、前記購入者（１）からの決済を引き出し、かつ単一の購入に提供される前記固有の取引信用照会に対して前記ＰＯＳ端末（３）に関連する口座の貸方に記入することにより前記決済を精算すること
を備えることにより特徴づけられる方法。
【請求項２】
前記購入者（１）が前記携帯デバイス（１１）上で個人コードを利用して、支払われるべき前記金額を承認する、請求項１に記載の方法。
【請求項３】
前記タグ（２４’）は、バーコード、クイック・レスポンス・コード、データマトリックス、ＲＦＩＤタグ、および独自のコードのうち少なくとも１つである、請求項１に記載の方法。
【請求項４】
ポータブルデバイスがＰＯＳ端末（２１、２４）として機能し、しかも２者が、すなわち、パーソナルデバイスの所有者および携帯デバイス（１１）を持っている前記購入者が、前記デバイスを利用して、前記購入者から前記ＰＯＳ端末のデバイスの前記所有者に資金を移動し、前記デバイスは、前記取引システムにアクセスできるデバイスであり、それにより、前記ＰＯＳ端末（２１、２４）は、携帯電話、スマートホン、ラップトップコンピュータ、タッチパッド、および固定されたコンピュータのうち少なくとも１つである、請求項１に記載の方法。
【請求項５】
前記ＰＯＳ端末はレジであり、前記レジによりメッセージを生成している、請求項１に記載の方法。
【請求項６】
前記ＰＯＳ端末が前記購入者に領収書（３２）を生成する、請求項１に記載の方法。
【請求項７】
前記ＰＯＳ端末は仮想的なＰＯＳ端末である、請求項１に記載の方法。
【請求項８】
前記ＰＯＳ端末はインターネット上で利用可能なオンラインショップである、請求項１に記載の方法。
【請求項９】
前記ＰＯＳ端末は、前記小売業者（２）に関連するサーバであり、しかも前記サーバが、前記取引システム（３）への少なくとも１つのメッセージを生成し、前記取引システム（３）からメッセージを受け取る、請求項１に記載の方法。
【請求項１０】
購入者（１）および小売業者（２）を識別するように適合されたシステム（Ａ）であって、前記購入者が、前記小売業者（２）のＰＯＳ端末の前におり、前記購入者（１）および前記小売業者（２）の間で安全な電子決済を行っており、それにより、前記購入者が、購入を行うために利用されるカメラ、無線周波受信機および無線周波送信機のうち少なくとも１つを備える携帯デバイス（１１）を有し：
前記ＰＯＳ端末（２１、２４）および前記購入者（１）の両方と通信するために利用される、前記購入者（１）および前記小売業者（２）の口座の情報が登録されている取引システム（３）であって、異なる通信チャネルを通して通信されることにより、前記購入者（１）から前記小売業者（２）への決済の移動を精算し、それにより、前記ＰＯＳ端末（２１、２４）が有線の第１の通信チャネルおよび無線の第１の通信チャネルのうち少なくとも一方を通して通信し、前記携帯デバイス（１１）が無線による第２のチャネルを介して無線で通信する取引システム（３）；
それぞれの単一の購入に、固有の取引信用照会を提供するように適合された取引システム内の手段；
前記適合された携帯デバイス（１１）が、前記単一のＰＯＳ端末を固有に識別する、前記ＰＯＳ端末（２１、２４）に配置されたタグ（２４’）を写真に撮るカメラおよび読み取る無線周波受信機のうち前記少なくとも一方を用いて、前記ＰＯＳ端末（２１、２４）を識別するように、前記購入者（１）により動作させられること；
前記携帯デバイス（１１）により、少なくとも１つの署名されたメッセージを生成し、かつ前記第２のチャネルを通して前記取引システム（３）に伝送するように適合されたソフトウェアであって、前記メッセージは、前記写真に撮られたタグ（２４’）および前記読み取られたタグ（２４’）のうち少なくとも一方をソフトウェアが処理することにより得られる前記ＰＯＳ端末（２１、２４）のＩＤおよび前記携帯デバイスの前記ＩＤを備えるソフトウェア；
自動的に促すことにより、前記ＰＯＳ端末（２１、２４）により少なくとも１つのメッセージを生成するように適合され、前記第２のチャネル上で前記携帯デバイスから前記取引システムに伝送された前記メッセージと時間に関して独立に区別される前記少なくとも１つのメッセージを前記第１のチャネル上で前記取引システム（３）に転送し、前記少なくとも１つのメッセージは、少なくとも、前記ＰＯＳ端末（２１、２４）の前記ＩＤ、および前記購入者（１）により支払われるべき金額を備えること；
前記第１のチャネルを通して前記ＰＯＳ端末（２１、２４）から伝送された前記少なくとも１つの暗号化されたメッセージを、前記第２のチャネルを通して前記携帯デバイス（１１）から伝送された前記少なくとも１つのメッセージと、取引システム（３）により照合して、前記ＰＯＳ端末（２１、２４）の前記ＩＤにより類似性を判定するように適合されたソフトウェア照合手段；および
前記照合により、前記第１のチャネルおよび前記第２のチャネルを介して伝送された前記ＰＯＳ端末（２１、２４）のＩＤ間の類似性が判定された場合、前記購入者（１）が、開始の許可を前記取引システム（３）に伝送するように前記携帯デバイス（１１）を促すことにより、支払われるべき前記金額を承認する、承認するための手段であって、したがって、前記購入者（１）の詳細が前記ＰＯＳ端末に対して匿名ではあるが、前記ＰＯＳ端末のＩＤも前記購入者のＩＤも前記取引システム（３）により知られ、前記取引システム（３）が、前記購入者（１）から決済を引き出し、かつ単一の購入に提供される前記固有の取引信用照会に対して前記ＰＯＳ端末（２１、２４）に関連する口座の貸方に記入することにより前記決済を精算する、承認するための手段
を備えることにより特徴づけられるシステム（Ａ）。
【請求項１１】
前記購入者（１）が前記携帯デバイス（１１）に入力された個人コードを利用して、支払われるべき前記金額を承認する、請求項１０に記載のシステム。
【請求項１２】
前記タグ（２４’）は、バーコード、クイック・レスポンス・コード、データマトリックス、ＲＦＩＤタグ、および独自のコードのうち少なくとも１つである、請求項１０に記載のシステム。
【請求項１３】
ポータブルデバイスがＰＯＳ端末（２１、２４）として機能するように適合し、２者が、すなわち、パーソナルデバイスの所有者および携帯デバイス（１１）を持っている前記購入者（１）が、前記デバイス（１１）を利用して、前記購入者（１）から前記ＰＯＳ端末のデバイス（２１、２４）の前記所有者に資金を移動し、前記デバイスは、前記取引システム（３）にアクセスできるデバイスであり、それにより、前記ＰＯＳ端末は、携帯電話、スマートホン、ラップトップコンピュータ、タッチパッド、および固定されたコンピュータのうち少なくとも１つである、請求項１０に記載のシステム。
【請求項１４】
前記ＰＯＳ端末はレジであり、前記レジによりメッセージを生成するように適合される、請求項１０記載のシステム。
【請求項１５】
前記ＰＯＳ端末が前記購入者に領収書（３２）を生成するように適合される、請求項１０に記載のシステム。
【請求項１６】
前記ＰＯＳ端末は仮想的なＰＯＳ端末である、請求項１０に記載のシステム。
【請求項１７】
前記ＰＯＳ端末はインターネット上で利用可能なオンラインショップである、請求項１０に記載のシステム。
【請求項１８】
前記ＰＯＳ端末は前記小売業者に関連するサーバであり、しかも前記サーバが、前記取引システム（３）への少なくとも１つのメッセージを生成し、かつ前記取引システムからメッセージを受け取るように適合される、請求項１０に記載のシステム。
【請求項１９】
コンピュータプログラムであって、携帯デバイス（１１）により実行されたときに、カメラおよび無線周波受信機のうち少なくとも１つを備える前記携帯デバイスが：
場面を撮るカメラ、および前記ＩＤを読み取る無線周波受信機のうち前記少なくとも一方を用いて、単一のＰＯＳ端末で前記携帯デバイス内のソフトウェアによりＩＤを読み取るステップ
を行うことが可能になるコンピュータ・プログラム・コードを備えるコンピュータプログラム。
【請求項２０】
前記携帯デバイス（１１）に関連する適切な部分が、プログラムコードで請求項１〜１３の前記方法を行う、請求項１９に記載のコンピュータプログラム。
【請求項２１】
コンピュータプログラムであって、単一のＰＯＳ端末（２１、２４）により実行されたときに、前記ＰＯＳ端末に関連する適切な部分がプログラムコードで請求項１〜１３の方法ステップを行う前記ＰＯＳ端末が：
前記伝送を行うように前記ＰＯＳ端末を促すことにより、前記ＰＯＳ端末のＩＤを伝送するステップ；および
前記購入者（１）および前記小売業者（２）の口座の情報が登録されている取引システム（３）に前記ＩＤを伝送するステップ；および
決済確認または拒否を要求するステップ
を行うことを可能にするコンピュータ・プログラム・コードを備えるコンピュータプログラム。
【請求項２２】
コンピュータプログラムであって、前記購入者（１）および前記小売業者（２）の口座の情報が登録されている取引システム（３）により実行されたときに、前記システムが、プログラムコードで請求項１〜１３の前記方法ステップの適切な部分を行って：
携帯デバイスおよびＰＯＳ端末から伝送されたＩＤを照合するステップ；
携帯デバイスおよびＰＯＳ端末の間での購入において口座を精算するステップ；および
メッセージを前記ＰＯＳ端末および前記携帯デバイスに伝送するステップ
を行うことを可能にするコンピュータ・プログラム・コードを備えるコンピュータプログラム。
【誤訳訂正２】
【訂正対象書類名】明細書
【訂正対象項目名】全文
【訂正方法】変更
【訂正の内容】
【発明の詳細な説明】
【発明の名称】安全な２者照合取引システム
【技術分野】
【０００１】
本発明は、購入者および小売業者を識別するように適合された方法、システムおよびコンピュータプログラムに関係し、購入者が小売業者のＰＯＳ端末の前におり、購入者および小売業者の間で安全な電子決済を行い、それにより、購入者が、購入を行うために利用されるカメラまたはＲＦＩＤまたはＷｉＦｉならびに類似の無線周波数受信機および／または送信機を備える携帯デバイスを有する。
【背景技術】
【０００２】
資金／決済を通して、一方の側から他方の側に伝送することができる取引システムを利用することが公知であり、当事者が、ベンダ、銀行、クレジット供給業者または他の金融機関との契約および口座を有する。取引システムは少なくとも、２者のＩＤ、２者の口座詳細、および取引を行うための、支払う側からの指示を必要とする。
【０００３】
２者が購入者および小売業者であってもよく、この場合、たとえば商品、サービスおよび同種のものに対する決済のように、購入者から小売業者に資金が移される。購入者は小売業者に属するＰＯＳ端末に存在する。このとき、購入者がＰＯＳ端末で自分を識別すること、およびＰＯＳ端末が、必要なデータを取引システムに伝送することが公知であり、必要な情報は、買い手／購入者、売り手／販売業者、および送金されるべき金額を識別する情報である。
【０００４】
ＰＯＳ端末で購入者を識別する公知の手法が数多くある。最も一般的な手法が、購入者が、購入者によりＰＯＳ端末に提供される身分証明書または個人コードと組み合わせて、何らかの種類のクレジットカードまたはバンクカードで身元を明らかにすることである。クレジットカートまたはバンクカードが、ＰＯＳ端末と通信し、それにより、購入者を識別することができるスマートカードであってもよい。スマートカード、または電話番号などの、携帯デバイス内のＳＩＭカードからの固有の情報を、個人コードと組み合わせて利用することができ、正当な利用者以外の他のだれもがスマートカードまたは携帯デバイスを使用するのを防止する。
【０００５】
また、購入者が、自分を識別することが可能なスマートホンまたは任意の他の種類の携帯型コンピュータなどの携帯デバイスを有することが公知である。ＲＦＩＤ（ｒａｄｉｏ ｆｒｅｑｕｅｎｃｙ ｉｄｅｎｔｉｆｉｃａｔｉｏｎ）または近距離無線通信（ｎｅａｒ ｆｉｅｌｄ ｃｏｍｍｕｎｉｃａｔｉｏｎ、ＮＦＣ）を用いて、ＰＯＳ端末に対して購入者を識別するように、このような携帯デバイスを適合させることができる。しばしば、これらの携帯デバイスが、インターネットまたは携帯電話網を介したデータ通信に適合され、この場合、デバイスおよび購入者の両方を識別することができる加入者識別モジュール（ＳＩＭカード）を携帯デバイスが有する。ＲＦＩＤまたはＮＦＣを用いてＰＯＳ端末からＳＩＭカードを遠隔で読み取り、それにより、購入者のＩＤに関する情報を得る可能性を利用することが公知である。
【０００６】
購入者がＰＯＳ端末でどのようにして身元を明らかにするかにかかわらず、購入者および小売業者の間の照合がＰＯＳ端末で行われ、必要な情報がＰＯＳ端末から、取引を行うことができる取引システムに伝送される。
【０００７】
行われた取引の確認が取引システムからＰＯＳ端末に伝送され、ＰＯＳ端末が、購入者に領収書を提供する。取引システム内の資金移動に必要な情報を、間違いのない安全な手法で収集することができるように、ＰＯＳ端末で購入者および小売業者の両方を識別することが技術的問題である。
【０００８】
携帯デバイスの用途が増大しており、ＰＯＳ端末で購入者を識別するためにこれらのデバイスを使用する要求が生じている。ＰＯＳ端末および購入者の携帯デバイスの間で通信するための手段を提供することは経済的投資である。ＰＯＳ端末のためのハードウェアがますます複雑になることはまた、この技術の、間違いのない信頼できる用途を提供するためにサポートおよびサービスが向上することを意味する。
【０００９】
したがって、携帯デバイスおよびＰＯＳ端末の間の遠隔通信を利用して、ＰＯＳ端末で携帯デバイスを用いて、購入者を識別する可能性を提供することが問題である。さらに、購入者が、個人ＩＤコード（ＰＩＮ）などの秘密情報をＰＯＳ端末に提供しなければならないことが問題である。ＰＯＳ端末のレジ係がこのような秘密情報を読み取ることはできないが、このような秘密情報がＰＯＳ端末（ＰＯＳ）から伝送され、盗聴または操作される可能性がある。
【００１０】
特許出願文献である、Ｈｉｇｇｉｎｓらに発行された米国特許出願公開第２００８／２２２０４８（Ａ１）号明細書（０４８’）、Ｙｏｕｓｈｉｄａらに発行された米国特許出願公開第２００５／０９６０１１（Ａ１）号明細書（０１１’）、欧州特許出願公開第２０８８５４９（Ａ１）号明細書（５４９’）、Ｓｈｕらに発行された米国特許出願公開第２００５／１０２２３３（Ａ１）号明細書（２３３’）、およびＷｈｉｔｅに発行された米国特許出願公開第２０１０／３２０２６６（Ａ１）号明細書（２６６’）が、概して、小売業者および購入者のデバイスが直接通信し、したがって、ＰＩＮコードおよびＩＤを盗難／盗聴にさらすために、本質的に安全ではない電子決済システムについて説明している。本発明では、以下の解決策によれば、小売業者および買い手だけが、たとえば自分たち自身のデバイス上で暗号化鍵および秘密鍵を利用して取引システムと通信する。この解決策は、上記で言及された出願文献０４８’、０１１’、５４９’、２３３’、および２６６’で開示されていない。
【００１１】
完全な決済トレーサビリティおよび認証を達成するために、以下の実施形態による解決策が、通信が署名され、かつ取引サーバが支払人証明書に、全体にわたる記録を保持する、支払人中心の公開鍵基盤（ＰＫＩ）解決策であり、この問題は、０４８’、０１１’、５４９’、２３３’、および２６６’では対処されていない。ＰＫＩ解決策は、ハードウェア、ソフトウェア、人々、ポリシ、およびデジタル証明書を作成し、管理し、配布し、使用し、記憶し、取り消すために必要な手順のセットである。
【００１２】
０４８’のように認証機構としてＳＭＳを利用することは安全ではない。したがって、本発明は、以下で説明されるように、購入者および小売業者を直接接続することなく、すべての通信をエンド・ツー・エンドで暗号化することによりこの解決策よりも改善される。したがって、０４８’などにより開示される、ＭＣＤおよびＭＰＤの間の安全ではない、検査されない通信が不要になる。
【００１３】
０１１’特許出願文献は、オペレータとして販売員を伴う、具体的にはウェブベースの解決策である。これは、以下で説明されるように、購入者が以下で説明されるようにＰＯＳ端末にいる、またはＰＯＳ端末の前にいるときにウェブ入力またはオペレータの監督が必要ではない／不可能である本発明により必要とされない。本発明による解決策では、小売業者が本発明の取引システムに請求書を自動的に通知し、購入者がウェブページに入る必要なしに領収書などの決済情報を受け取る。
【００１４】
文献５４９’はクレジット・カード・クリアリング・ハウス（ＣＣＣＨ）に依存するが、本発明の解決策は、任意の特定のＣＣＣＨとは無関係であり、代わりに、銀行および／またはバリュー・ストア・アカウントと直接通信する取引サーバを具体化する。
【００１５】
出願文献２３３’は、ディスプレイを利用して、自動販売機から電話機に情報を提供する。本発明は、ＰＯＳ端末を識別するステッカコードを有し、かつ取引サーバ内で売り手および買い手の間で情報を手渡すことにより、この解決策と異なる。また、２３３’で説明される携帯デバイスは、取引サーバと直接ではなく、ＵＲＬを介してベンダサーバと通信し、したがって、信頼できる決済プロセッサではなく、ウェブリダイレクトとしてだけ機能する。
【００１６】
２６６’の文献は片方向通信を開示し、取引サーバを介してＰＯＳ端末から情報を提供する問題を解決することができないので、購入者が、２６６’の画像１、Ｓ２２１〜Ｓ２２３で描かれているように、金額および請求書が正しいレジに対応していることを検証することが困難である。
【００１７】
以下で説明されるように本発明の解決策では、携帯デバイスが、販売するレジから伝送され、かつ署名された、取引サービスからの決済のデジタル領収書を受け取ることができる。文献０４８’、０１１’、５４９’、２３３’、および２６６’は、領収書を印刷するレジに依存し、したがって、購入者の詳細、たとえば銀行口座、名前、および符号化されているが購入者のＰＩＮコードさえわかる／記録する。
【先行技術文献】
【特許文献】
【００１８】
【特許文献１】米国特許出願公開第２００８／２２２０４８（Ａ１）号明細書
【特許文献２】米国特許出願公開第２００５／０９６０１１（Ａ１）号明細書
【特許文献３】欧州特許出願公開第２０８８５４９（Ａ１）号明細書
【特許文献４】米国特許出願公開第２００５／１０２２３３（Ａ１）号明細書
【特許文献５】米国特許出願公開第２００５／１０２２３３（Ａ１）号明細書
【発明の概要】
【発明が解決しようとする課題】
【００１９】
上記で言及された問題の１つまたは複数を解決する目的で、上記で説明された本発明の分野の観点から、ＰＯＳ端末が携帯デバイスのＩＤを読み取る代わりに、携帯デバイスが、携帯デバイス内に備えられたカメラ／ＲＦＩＤ（ｒａｄｉｏ ｆｒｅｑｕｅｎｃｙ ｉｄｅｎｔｉｆｉｃａｔｉｏｎ）および類似の無線周波受信機を用いて、ＰＯＳ端末のＩＤを読み取っていることが理解されることを、本発明は教示する。
【課題を解決するための手段】
【００２０】
今日、多くの携帯デバイスがカメラならびに無線周波受信機および／または送信機を備えているので、このため、携帯デバイスまたはＰＯＳ端末には、追加のいかなるハードウェア修正も必要ない。
【００２１】
携帯デバイスが、ＰＯＳ端末のＩＤおよび携帯デバイスのＩＤを備えるメッセージを生成し、取引システムに伝送することが理解される。
【００２２】
一実施形態によれば、本発明は、購入者がＰＯＳ端末により決して識別されない、すなわち、購入者がＰＯＳ端末を運営している小売業者に対して完全に匿名であることを提供する。
【００２３】
ＰＯＳ端末が；自分の携帯デバイスを利用して購入する購入者から伝送されるメッセージと時間に関して独立したメッセージを生成し、本発明による取引システムに伝送し、ＰＯＳ端末のメッセージは、ＰＯＳ端末のＩＤ、および支払われるべき金額を備える。
【００２４】
取引システムが、ＰＯＳ端末のＩＤを用いてこれらのメッセージ間の照合を行う。これは、購入者および小売業者の間の照合が、公知のシステムのようにＰＯＳ端末ではなく、購入者に関する知識を有する唯一のデバイスである取引システムで達成されることを意味する。
【００２５】
取引システムが、ＰＯＳからのメッセージで受信されるような、支払われるべき金額を備えるメッセージなどのメッセージを生成し、携帯デバイスに伝送する。
【００２６】
購入者が、携帯デバイス上で、支払われるべき金額を承認し、携帯デバイスが、支払われるべき、承認された金額に従って、購入者から小売業者への資金移動の承認または拒絶を備えるメッセージを生成し、取引システムに伝送する。
【００２７】
次に、取引システムが、取引を行うために必要な情報を受け取り、取引システムが、購入者から小売業者へ、承認された資金移動を行う。
【００２８】
取引が行われたとき、取引システムが、資金移動／決済の確認を備えるメッセージを生成し、ＰＯＳ端末に伝送する。
【００２９】
この手法では、購入者も小売業者も識別され、取引システムが、間違いのない安全な手法で、購入者および小売業者の両方から受信される情報に基づき、取引を行うことができる。
【００３０】
本発明の一実施形態では、安全性を高め、かつ許可されない人が経済取引のために携帯デバイスを利用することを防止するために、購入者が携帯デバイス上で個人コードを使用して、支払われるべき金額を承認していることが理解される。
【００３１】
他の実施形態では、ＰＯＳ端末のＩＤがタグ／ラベルにより表され、携帯デバイスが、適切なソフトウェアを利用して、タグ／ラベルからＰＯＳ端末のＩＤへの変換を達成することにより、この変換を行う。このようなタグ／ラベルは、たとえば、バーコード、２次元もしくは３次元クイック・レスポンス・コード（ＱＲ）などのＱＲコード、ＲＦＩＤおよび同種のコード、データマトリックス、またはＳｈｏｔＣｏｄｅなどの独自のコードであってもよく、ＳｈｏｔＣｏｄｅは、中央の標的の中心および中心を取り囲むデータ円を有する、ダーツ盤のような円を備えるバーコードである。これらのデータ円からデータビットを読み出す技術が、標的の中心からの角度および距離を測定することによる。角度および距離が、たとえば携帯電話、タッチパッド、および同種のデバイスで見いだされるカメラにより読み取られる。
【００３２】
携帯デバイスのカメラを利用して、タブ／ラベルを読み取るために、購入者がこれらのコードをＰＯＳ端末で容易に作り出し、表示することができる。大型スーパーマーケット、または多くのＰＯＳ端末を有する企業の場所で、ＰＯＳ端末の個々のＩＤを各ＰＯＳ端末に提供することは、安価であり、容易である。このようなタグを読み取り、かつこのようなタグを理解可能な識別に変換するために必要なコンピュータプログラムが、カメラを装備した大部分の携帯デバイスで容易に利用可能である。
【００３３】
ＰＯＳ端末は物理的なＰＯＳ端末であってもよく、この場合、ＰＯＳ端末は、倉庫、スーパーマーケット、レストラン、美容院もしくはガソリンスタンドなどの固定したＰＯＳ端末、または移動式のＰＯＳ端末、たとえば、バス、列車、船、タクシー、移動販売代理店、もしくはレストラン内の移動式のＰＯＳ端末および同種のものに属するＰＯＳ端末であってもよい。
【００３４】
理解される一実施形態によれば、パーソナルデバイスがＰＯＳ端末として機能すること、および２者が、すなわちパーソナルデバイスの所有者である小売業者および購入者が、本発明の本発明による方法を利用して、資金を購入者からパーソナルデバイスの所有者に伝送／送信することが可能であり、パーソナルデバイスは、パーソナルデバイスの所有者を通して取引システムにアクセスすることができる任意のパーソナルデバイス、たとえば携帯電話、携帯型コンピュータ、タッチパッド、スマートホン、固定されたコンピュータ、または同種のものであってもよい。
【００３５】
一実施形態では、ＰＯＳ端末がレジ係のレジであること、およびレジ係のレジがメッセージを生成し、メッセージを受け取ることが理解される。
【００３６】
物理的なＰＯＳ端末があれば、一実施形態では、ＰＯＳ端末が購入者に対する取引の領収書を生成することが理解される。
【００３７】
本発明はまた、ＰＯＳ端末が、インターネット上で利用可能なオンラインショップなどの仮想的なＰＯＳ端末である場合にも利用することができる。
【００３８】
この場合、実際のＰＯＳ端末が、小売業者に関連するサーバであってもよく、この場合、サーバがメッセージを生成し、決済に関連するメッセージを受け取る。
【００３９】
ＰＯＳ端末が物理的であるとき、購入者により接近でき、一度に１人の購入者だけを取り扱う。しかしながら、オンラインのインターネットショップなどの仮想的なＰＯＳ端末があれば、多くの購入者が同時にＰＯＳ端末に近づくことができる。したがって、仮想的なＰＯＳ端末では、ＰＯＳ端末に対して固有のＩＤが生成され、固有のＩＤの表示が各取引に対して表示されることが理解される。
【００４０】
ＰＯＳ端末が領収書を作り出すかどうかにかかわらず、本発明は、取引システムが、資金移動の確認を備えるメッセージを生成し、携帯デバイスに伝送することができることを提案する。
【００４１】
ＰＯＳ端末が移動式である場合、ＰＯＳ端末が、無線通信を用いて取引システムと通信することが理解される。
【００４２】
また、携帯デバイスが、無線通信を用いて取引システムと通信することが理解される。
【００４３】
本発明はまた、携帯デバイス、ＰＯＳ端末、および取引システムを備えるシステムに関する。システムは、購入者および小売業者を識別し、かつ購入者および小売業者の間で経済取引を行うように適合され、ＰＯＳ端末が小売業者に属し、携帯デバイスが購入者に属する。ＰＯＳ端末および取引システムが、互いに通信するように適合され、取引システムが、購入者および小売業者からの所与の情報に従って購入者から小売業者に資金を移動するように適合される。
【００４４】
また、本発明は、具体的には、携帯デバイスおよび取引システムが互いに通信するように適合されること、ならびに携帯デバイスが、カメラおよび無線周波通信能力を備えることを教示する。
【００４５】
さらに、携帯デバイスが、自分のカメラ／無線受信機を用いてＰＯＳ端末のＩＤを読み取り、かつＰＯＳ端末のＩＤおよび携帯デバイスのＩＤを備えるメッセージを生成し、かつ取引システムに伝送するように適合される。
【００４６】
ＰＯＳ端末が、前記携帯デバイスから取引システムに伝送されたメッセージと時間に関して独立に区別されたメッセージを生成し、かつ伝送するように適合される。このメッセージは、ＰＯＳ端末のＩＤ、および支払われるべき金額を備える。
【００４７】
さらに、取引システムが、ＰＯＳ端末のＩＤを用いて両方のメッセージを照合し、かつ支払われるべき金額を備える他のメッセージを生成し、かつ携帯デバイスに伝送するように適合される。
【００４８】
携帯デバイスが、購入者から支払われるべき金額の承認または拒絶を受け取り、かつ支払われるべき、承認された金額に従って、購入者から小売業者への資金移動の承認または拒絶を備える他のメッセージを生成し、かつ取引システムに伝送するように適合される。
【００４９】
取引システムが、購入者から小売業者への承認された資金移動を行い、かつ資金移動の確認を備える他のメッセージを生成し、かつＰＯＳ端末に伝送するように適合される。
【００５０】
購入者が、支払われるべき金額を承認することが可能であり、本発明は、承認のこのような１つの手法が、支払われるべき金額を購入者が承認するために、携帯デバイスが購入者から個人コードを受け取るように適合されることであることを提案する。
【００５１】
ＰＯＳ端末を識別する安価で革新的な手段を提供する目的で、ＰＯＳ端末のＩＤがタグ／ラベルにより表されること、および携帯デバイスが、タグ／ラベルをＰＯＳ端末のＩＤに変換するように適合されることが理解される。
【００５２】
タグ／ラベルが、多くの異なるタイプ、たとえばバーコード、ＲＦＩＤ、クイック・レスポンス・コード、データマトリックス、またはＳｈｏｔＣｏｄｅなどの独自のコードであってもよい。
【００５３】
前述のように、ＰＯＳ端末が、物理的なＰＯＳ端末であっても、仮想的なＰＯＳ端末であってもよい。
【００５４】
物理的なＰＯＳ端末が、倉庫、スーパーマーケット、レストラン、美容院もしくはガソリンスタンドなどの固定したＰＯＳ端末、または移動式のＰＯＳ端末、たとえば、バス、列車、船、タクシー、移動販売代理店もしくはレストラン内の移動式のＰＯＳ端末に属するＰＯＳ端末であってもよい。
【００５５】
本発明の認識される一実施形態が、パーソナルデバイスがＰＯＳ端末として機能するように適合されることを教示し、この場合、パーソナルデバイスおよび携帯デバイスが、２者が、すなわちパーソナルデバイスの所有者および購入者が、購入者からパーソナルデバイスの所有者に資金を移動することを可能にするように適合される。パーソナルデバイスは、パーソナルデバイスの所有者を通して取引システムにアクセスすることができる任意のパーソナルデバイス、たとえば、携帯電話、携帯型コンピュータ、ｉＰａｄ（登録商標）、タッチパッド、ｉＰｈｏｎｅ（登録商標）などのスマートホン、アンドロイド電話機、または固定されたコンピュータおよび同種のものであってもよい。
【００５６】
ＰＯＳ端末が従来型のレジ係のレジである場合、メッセージを生成し、かつ受け取るようにレジ係のレジを適合させることができる。
【００５７】
仮想的なＰＯＳ端末が、小売業者に関連するサーバによりホスティングされてもよく、たとえばインターネット上で利用可能なオンラインショップであってもよく、この場合、メッセージを生成し、かつメッセージを受け取るようにサーバを適合させることができる。
【００５８】
何人かの購入者が仮想的なＰＯＳ端末と同時に対話することを可能にするために、サーバが、各取引についてＰＯＳ端末に対して固有のＩＤを生成し、かつＩＤの表示を仮想的なＰＯＳ端末に表示するように適合されることが理解される。
【００５９】
購入者がＰＯＳ端末から領収書を受け取る可能性とは無関係に、資金移動の確認を備えるメッセージを携帯デバイスに伝送するように取引システムを適合させることができることが理解される。
【００６０】
ＰＯＳ端末が移動式である場合、ＰＯＳ端末が、無線通信を用いて取引システムと通信するように適合されることが理解される。
【００６１】
また、携帯デバイスが、無線通信を用いて取引システムと通信するように適合されることが理解される。
【００６２】
本発明はまた、多くのコンピュータプログラムに関する。本発明の方法およびシステムが３つのデバイス、すなわち携帯デバイス、ＰＯＳ端末および取引システムを伴うので、本発明を実現するために、３つの別個のコンピュータプログラムが必要である。
【００６３】
したがって、本発明は、購入者および小売業者を識別するように適合され、前記購入者が前記小売業者のＰＯＳ端末の前にいる場合、購入者および小売業者の間で安全な電子決済を行う方法を説明し、それにより、購入者が、購入を行うために利用されるカメラ／ＲＦＩＤ／ＷｉＦｉ、無線周波数受信機および／または送信機のうち少なくとも１つを備える携帯デバイスを有する。したがって、本発明は：
ＰＯＳ端末も購入者も、異なる通信チャネルを通して信号が伝送されることにより購入者から小売業者への資金移動を精算する、前記購入者および前記小売業者の口座の情報が登録されている取引システムと通信するためにあり、それにより、ＰＯＳ端末が有線の第１の通信チャネルおよび無線の第１の通信チャネルのうち少なくとも一方を通して通信し、携帯デバイスが無線による第２のチャネルを介して無線で通信すること；
単一の購入に、前記取引システムを通して固有の取引信用照会が提供されること；
携帯デバイスが、単一のＰＯＳ端末を固有に識別する、ＰＯＳ端末に置かれたタグを写真に撮るまたは読み取るカメラ／ＲＦＩＤおよび類似の無線周波受信機を用いて、ＰＯＳ端末を識別するように、購入者により動作させられること；
携帯デバイスが、写真に撮られた／読み取られたタグをソフトウェアが処理することにより得られるＰＯＳ端末のＩＤおよび携帯デバイスのＩＤを備える、署名されたメッセージを生成し、第２のチャネルを通して取引システムに伝送していること；
自動的に促すことにより、第２のチャネル上で携帯デバイスから取引システムに伝送されるメッセージと時間に関して独立に区別される少なくとも１つのメッセージをＰＯＳ端末により生成し、第１のチャネル上で取引システムに転送し、少なくとも１つのメッセージは、ＰＯＳ端末のＩＤ、および購入者により支払われるべき金額を備えること；
第１のチャネルを通してＰＯＳ端末から伝送された少なくとも１つのメッセージを、第２のチャネルを通して携帯デバイスから伝送されたメッセージと、取引システムにより照合して、ＰＯＳ端末のＩＤにより類似性を判定すること；および
照合により、第１のチャネルおよび第２のチャネルを介して伝送されたＰＯＳ端末のＩＤ間の類似性が判定された場合、購入者が、開始の許可を取引システムに伝送するように携帯デバイスを促すことにより、支払われるべき金額を許可し、したがって、購入者の詳細がＰＯＳ端末に対して匿名ではあるが、ＰＯＳ端末の購入ＩＤも購入者の購入ＩＤも取引システムにより知られ、取引システムが、購入者からの決済を引き出し、かつ単一の購入に提供される前記固有の取引信用照会に対してＰＯＳ端末に関連する口座の貸方に記入することにより決済を精算すること
を備える。
【００６４】
本発明の一実施形態が、購入者が携帯デバイス上で個人コードを利用して、支払われるべき金額を承認することを提供する。
【００６５】
他の実施形態が、タグ／ラベルが、バーコード、ＲＦＩＤ、クイック・レスポンス・コード、データマトリックス、および独自のコードのうち少なくとも１つであることを提供する。
【００６６】
さらに他の実施形態が、ＰＯＳ端末が小売業者の所にある固定したＰＯＳ端末であることを提供する。
【００６７】
他の実施形態が、ＰＯＳ端末が、バス、列車、船、タクシーの中に提供される、移動販売代理店より取り扱われる移動式のＰＯＳ端末、またはレストラン内の移動式のＰＯＳ端末であることを提供する。
【００６８】
さらに他の実施形態が、ポータブルデバイスがＰＯＳ端末として機能すること、および２者が、すなわち、パーソナルデバイスの所有者および携帯デバイスを持っている購入者が、デバイスを利用して、購入者からＰＯＳ端末のデバイスの所有者に資金を移動することを提供し、デバイスは、取引システムにアクセスできるデバイスであり、それにより、ＰＯＳ端末は、携帯電話、スマートホン、ラップトップコンピュータ、ｉＰａｄ（登録商標）、タッチパッド、ｉＰｈｏｎｅ（登録商標）、アンドロイド電話機、および固定されたコンピュータおよび同種のもののうち少なくとも１つである。
【００６９】
さらに、一実施形態が、ＰＯＳ端末がレジ係のレジであること、およびレジ係のレジがレジ係を促すことによりメッセージを生成することを提供する。
【００７０】
さらに他の一実施形態が、ＰＯＳ端末が購入者への受領書を生成することを提供する。
【００７１】
さらに他の一実施形態が、ＰＯＳ端末が仮想的なＰＯＳ端末であることを提供する。
【００７２】
他の実施形態が、ＰＯＳ端末が、インターネット上で利用可能なオンラインショップであることを提供する。
【００７３】
他の実施形態が、ＰＯＳ端末が、小売業者に関連するサーバであること、およびサーバが取引システムへの少なくとも１つのメッセージを生成し、取引システムからメッセージを受け取ることを備える。
【００７４】
さらに、本発明は、購入者および小売業者を識別するように適合され、かつ購入者および小売業者の間で安全な電子決済を行うシステムを説明し、前記購入者が前記小売業者のＰＯＳ端末の前におり、それにより、購入者が、購入を行うために利用されるカメラ／ＲＦＩＤ／ＷｉＦｉならびに類似の無線周波受信機および／または送信機を備える携帯デバイスを有する。したがって、本発明のシステムは：
ＰＯＳ端末および購入者の両方と通信するように適合された、前記購入者および前記小売業者の口座の情報が登録されている取引システムであって、異なる通信チャネルを通して、暗号化された信号が伝送されることにより購入者から小売業者への資金移動を精算し、それにより、ＰＯＳ端末が有線の第１の通信チャネルおよび無線の第１の通信チャネルのうち少なくとも一方を通して通信し、携帯デバイスが無線周波数による第２のチャネルを介して無線で通信する取引システム；
それぞれの単一の購入に、固有の取引信用照会を提供するための、取引システム内の手段；
単一のＰＯＳ端末を固有に識別する、ＰＯＳ端末に置かれたタグを写真に撮る／読み取るカメラ／ＲＦＩＤならびに類似の無線周波受信機および／または送信機を用いて、ＰＯＳ端末を識別するように、購入者により動作させられるように適合された携帯デバイス；
少なくとも第１の暗号化され署名されたメッセージを携帯デバイスにより生成し、第２のチャネルを通して取引システムに伝送するように適合されたソフトウェアであって、メッセージは、写真に撮られた／読み取られたタグをソフトウェアが処理することにより得られるＰＯＳ端末のＩＤおよび携帯デバイスのＩＤを備えるソフトウェア；
自動的に促すことにより、第２のチャネル上で携帯デバイスから取引システムに伝送されるメッセージと時間に関して独立に区別される少なくとも１つのメッセージをＰＯＳ端末により生成し、第１のチャネル上で取引システムに転送するように適合され、少なくとも１つのメッセージは、ＰＯＳ端末のＩＤ、および購入者により支払われるべき金額を備えること；
第１のチャネルを通してＰＯＳ端末から伝送された少なくとも１つの暗号化されたメッセージを、第２のチャネルを通して携帯デバイスから伝送された少なくとも１つのメッセージと、取引システムにより照合して、ＰＯＳ端末のＩＤにより類似性を判定するためのソフトウェア照合手段；および
照合により、第１のチャネルおよび第２のチャネルを介して伝送されたＰＯＳ端末のＩＤ間の類似性が判定された場合、購入者が、開始の許可を取引システムに伝送するように携帯デバイスを促すことにより、支払われるべき金額を承認する承認手段であって、したがって、購入者の詳細がＰＯＳ端末に対して匿名ではあるが、ＰＯＳ端末のＩＤも購入者のＩＤも取引システムにより知られ、取引システムが、購入者から決済を引き出し、かつそれぞれの単一の取引ＩＤに対してＰＯＳ端末に関連する口座の貸方に記入することにより決済を精算する承認手段
を備える。
【００７５】
さらに、本発明は、携帯デバイスにより実行されたときに、カメラ／ＲＦＩＤ／ＷｉＦｉならびに類似の無線周波受信機および／または送信機を備える携帯デバイスが：
場面を撮るまたはＩＤを読み取るカメラ／ＲＦＩＤおよび類似の無線周波受信機を用いて、単一のＰＯＳ端末で携帯デバイス内のソフトウェアによりＩＤを読み取るステップ；および
前記購入者および前記小売業者の口座の情報が登録されている取引システムにＩＤを伝送するステップ
を行うことが可能になるコンピュータ・プログラム・コードを備えるコンピュータプログラムを提供する。
【００７６】
一実施形態では、コンピュータプログラムは、携帯デバイスに関する適切な部分がプログラムコードで添付の請求項１〜１３の方法を行うことを説明する。
【００７７】
さらにまた、本発明は、単一のＰＯＳ端末で実行されたときに、ＰＯＳ端末に関連する適切な部分がプログラムコードで請求項１〜１３の方法ステップを行うＰＯＳ端末が：
伝送を行うようにＰＯＳ端末を促すことにより、ＰＯＳ端末のＩＤを伝送するステップ；および
前記購入者および前記小売業者の口座の情報が登録されている取引システムにＩＤを伝送するステップ
を行うことを可能にするコンピュータ・プログラム・コードを備えるコンピュータプログラムを提供する。
【００７８】
さらに、本発明は、前記購入者および前記小売業者の口座の情報が登録されている取引システムで実行されたときに、システムが、プログラムコードで添付の請求項１〜１３の方法ステップの、取引システムに関連する適切な部分を行って：
携帯デバイスおよびＰＯＳ端末から伝送されたＩＤを照合するステップ；
携帯デバイスおよびＰＯＳ端末の間の決済で口座を精算するステップ；および
ＰＯＳ端末および携帯デバイスにメッセージを伝送するステップ
を行うことを可能にするコンピュータ・プログラム・コードを備えるコンピュータプログラムを提供する。
【００７９】
添付の従属する構成クレームが、添付の従属する方法クレームに従うことが理解される。
【００８０】
これ以降、本説明全体を通じて本発明の実施形態および所与の例をよりよく理解するためには、添付図面が関連する。
【図面の簡単な説明】
【００８１】
【図１】本発明による方法およびシステムの概略図である。
【図２】携帯デバイスおよびＰＯＳ端末の概略図である。
【図３】ＰＯＳ端末として機能するパーソナルデバイスの概略図である。
【図４】仮想のＰＯＳ端末の概略図である。
【図５】本発明による取引システムを通した、ＰＯＳ端末および購入者の間の信号方式を概略的に示す。
【発明を実施するための形態】
【００８２】
本発明による方法、システムおよびコンピュータプログラムの１つの有利な点が、いかなる追加のハードウェアもなしに、バックエンドシステムを介したＰＯＳ端末からの信号方式のための、現在のインフラストラクチャの範囲内で、購入者およびＰＯＳ端末の間の安全な資金移動を提供することができることである。携帯デバイス、たとえばスマートホン、携帯電話または携帯型コンピュータが、カメラならびに無線周波受信機および／または送信機、ならびに異なるデータシステムへの無線オンライン接続を備え、今日、ＰＯＳ端末が同じく何らかの種類の取引システムへの通信接続を備える。唯一必要な物理的変更またはハードウェア変更が、携帯デバイスのカメラ／ＲＦＩＤおよび類似の無線周波受信機を使って、携帯デバイスにより読み取ることができる、ＰＯＳ端末の仮想的ＩＤであり、非常に低コストでＰＯＳ端末に印刷および／または接着することができるＲＦＩＤタグが受動または能動であってもよい。
【００８３】
購入者および小売業者の間の照合が、ＰＯＳ端末ではなく取引システム内で行われるので、ＰＯＳ端末が購入者の識別に関するどのような問題も管理する必要がない。これは、購入者を識別するという問題からＰＯＳ端末を解放し、購入者がＰＯＳ端末で小売業者にどんな個人情報も明らかにする必要がなく、したがって、このような個人情報の誤用のリスクを排除し、これは、物理的なＰＯＳ端末で有利であるだけでなく、購入者の個人的完全性を損なうことなく、購入者を識別することに関して多くの問題が存在する仮想的なＰＯＳ端末でも有利である。
【００８４】
したがって、あらゆる種類のＰＯＳ端末、すなわち、移動式の物理的なＰＯＳ端末および固定された物理的なＰＯＳ端末の両方、ならびに仮想的なＰＯＳ端末で本発明を実現することができる。本発明は、２者の間で資金を移動する手法としてさえ実現することができ、この場合、一方の人のパーソナルデバイスがＰＯＳ端末の役割を果たし、かつもう一方の人の携帯デバイスにより読み取られるＩＤを作り出し、示すことができ、もう一方の人が購入者の役割を果たし、資金を一方の人から他方の人に移すために、これらの人の間で本発明を利用することができる。
【００８５】
また、取引システムと通信することができる簡単なコンピュータを使って、新しい商店主がＰＯＳ端末をセットアップする可能性を導入するために本発明を利用することができることが有利な点であり、これは、小規模な経済的手段を有する企業にとって有利な点である。本発明はまた、現金を管理する必要のない経済取引に可能性を広げ、これは、犯罪が問題となる領域で有利な点である。
【００８６】
次に、購入者１および小売業者２を識別する方法を示す図１を参照して本発明について説明する。購入者１がＰＯＳ端末２１に、購入者１および小売業者２の間で経済取引／決済を行うために存在する。
【００８７】
購入者１は、購入者が取引システム３とのオンライン通信にアクセスすることができるどのようなものであってもよい携帯デバイス１１を、たとえばスマートホン、携帯情報端末、または携帯型コンピュータを有する。ＰＯＳ端末２１が、同じく取引システム３と通信することができる。携帯デバイスは、携帯デバイスの所有者である購入者１に接続される固有のＩＤ１４を有する。この固有のＩＤは、たとえば電話番号、またはデバイスに属するＳＩＭカード上で得られる加入者ＩＤであってもよい。
【００８８】
取引システム３が、購入者１および小売業者２からの所与の情報に従って、購入者１により利用される一方の経済機関１３から、小売業者２により利用される経済機関２３に、資金３１を移動する。この例では、購入者および小売業者が異なる経済機関１３、２３を利用する。しかしながら、購入者１および小売業者２が同一経済機関を利用することができることを理解されたい。
【００８９】
図１および図２を参照すると、本発明の方法が、本発明の一実施形態では、以下のステップを備え、それにより、携帯デバイス１１が、携帯デバイス１１に備えられたカメラ／ＲＦＩＤおよび類似の無線周波受信機１１１を用いてＰＯＳ端末２１でＩＤ２４を読み取ることが示されている。本発明では、携帯デバイスは、任意の種類の無線周波送信エンティティを、たとえば移動体無線通信、およびＷｉＦｉ通信を介して広帯域システムに伝達するデバイスであってもよい。これによって、携帯デバイスがＳＩＭカードありまたはなしのタイプであってもよく、したがって、ＷｉＦｉ通信については、ＳＩＭカードなしであってもよい。このようなデバイスの例が、携帯電話、携帯型コンピュータ、ｉＰａｄ（登録商標）、タッチパッド、ｉＰｈｏｎｅ（登録商標）、アンドロイド電話機、または固定されたコンピュータおよび類似のものなどである。
【００９０】
さらに、携帯デバイス１１がメッセージＭ１を生成し、取引システム３に伝送し、メッセージＭ１は、ＰＯＳ端末２１のＩＤ２４および携帯デバイスのＩＤ１４を備える。
【００９１】
これ以降、ＰＯＳ端末が、ＰＯＳ端末２１のＩＤ２４、および取引で支払われるべき金額２５を備える、メッセージＭ１と時間に関して独立に区別されるメッセージＭ２を生成し、取引システム３に伝送する。
【００９２】
これによって、取引システム３が、ＰＯＳ端末２１のＩＤ２４を用いて、メッセージＭ１をメッセージＭ２と照合する。さらに、取引システム３が、支払われるべき金額２５を備えるメッセージＭ３を生成し、携帯デバイス１１に伝送する。
【００９３】
最終的に、購入者１が、携帯デバイス１１上で、支払われるべき金額２５を承認または拒絶する。したがって、携帯デバイス１１が、支払われるべき、承認された金額２５に従って、購入者から小売業者への資金移動の承認または拒絶１５を備えるメッセージＭ４を生成し、取引システム３に伝送する。
【００９４】
さらに、取引システム３が、購入者１から小売業者２への、承認された資金３１の移動を行う。その後、取引システム３がメッセージＭ５を生成し、ＰＯＳ端末２１に伝送し、メッセージＭ５は、資金３１の移動の確認３２を備える。
【００９５】
前述のように、メッセージＭ１、Ｍ２が互いに時間に関して区別されて伝送され、これは、ＰＯＳ端末がメッセージＭ２を生成し、伝送する前または後に、購入者が携帯デバイス１１を用いてメッセージＭ１を生成し、伝送するかどうかに、本発明が一切依存しないことを意味する。
【００９６】
取引システム３を用いて購入者の口座１３から小売業者の口座２３に資金を移動する方法が、本発明の当業者に周知である；したがって、このことについてより詳細に説明しない。
【００９７】
購入者１が、携帯デバイス１１上で個人コードを使用して、支払われるべき金額２５を承認していることが理解される。
【００９８】
ＰＯＳ端末のＩＤ２４がタグ／ラベル／ＲＦＩＤ２４’により表されてもよく、しかも携帯デバイス１１が、タグ／ラベル２４’をＰＯＳ端末のＩＤ２４に変換する。
【００９９】
タグ／ラベル２４’が、バーコード、ＲＦＩＤ、クイック・レスポンス・コード、データマトリックス、またはＳｈｏｔＣｏｄｅなどの独自のコードであってもよい。
【０１００】
ＰＯＳ端末２１が物理的なＰＯＳ端末であってもよく、このＰＯＳ端末２１が、倉庫、スーパーマーケット、レストラン、美容院もしくはガソリンスタンドなどの固定したＰＯＳ端末、または移動式のＰＯＳ端末、たとえば、バス、列車、船、タクシー、移動販売代理店、もしくはレストラン内の移動式のＰＯＳ端末もしくは同種のものに属するＰＯＳ端末であってもよい。
【０１０１】
図３に示される、本発明の一実施形態によれば、パーソナルデバイス１１’がＰＯＳ端末２１’として機能すること、および２者が、すなわちパーソナルデバイスの所有者２’および購入者１が、本発明の方法を利用して、購入者１からパーソナルデバイス１１’の所有者２’に資金を伝送することが理解され、パーソナルデバイス１１’が、パーソナルデバイスの所有者２’を通して取引システム３にアクセスすることができる任意のパーソナルデバイス、たとえば携帯電話、携帯型コンピュータ、または固定されたコンピュータである。
【０１０２】
図２に示されるように、従来型のＰＯＳ端末２１がレジ係のレジ２１ａであり、本発明がレジ係のレジ２１ａで実現される一実施形態では、レジ係のレジ２１ａが、直接または間接的に、Ｍ２メッセージを生成し、メッセージＭ５を受け取ることが理解される。
【０１０３】
ＰＯＳ端末２１から購入者２への取引の領収書２６を生成することが可能である。
【０１０４】
図４は、ＰＯＳ端末が同じく、インターネット４上で利用可能なオンラインショップなどの仮想的なＰＯＳ端末であってもよいことを示す。
【０１０５】
この場合、ＰＯＳ端末２１”が、小売業者２に関連するサーバ２６であり、購入者１に属する端末１６内でサーバ２６から生成される。サーバ２６が、メッセージＭ２を生成し、メッセージＭ５を受け取る。
【０１０６】
仮想的なＰＯＳ端末２１”があれば、ＰＯＳ端末２１’に対する固有のＩＤ、および固有のＩＤの表示２４”が生成され、各取引に対して購入者１により利用される端末１６上に表示されることが理解される。
【０１０７】
ＰＯＳ端末２１が、領収書２６により、または任意の他の手法で、資金移動を確認した場合でさえ、同じく、取引システム３が、資金移動の確認３２を備えるメッセージＭ６を生成し、携帯デバイス１１に伝送することできることが理解される。
【０１０８】
移動式のＰＯＳ端末があれば、ＰＯＳ端末２１が、無線通信を用いて取引システム３と通信することが理解される。
【０１０９】
また、携帯デバイス１１が、無線通信を用いて取引システム３と通信する。
【０１１０】
次に、再び図１を参照すると、携帯デバイス１１、ＰＯＳ端末２１および取引システム３を備える、本発明によるシステムＡについて説明する。
【０１１１】
本発明のシステムＡが、購入者１および小売業者２を識別し、かつ購入者１および小売業者２の間の経済取引を行うように適合され、ＰＯＳ端末２１が小売業者２に属し、携帯デバイス１１が購入者１に属する。
【０１１２】
携帯デバイス１１が、携帯デバイスの所有者である購入者１に接続される固有のＩＤ１４を有する。この固有のＩＤは、たとえば電話番号、またはデバイスに属するＳＩＭカード上で得られる加入者ＩＤであってもよい。
【０１１３】
ＰＯＳ端末２１および取引システム３が互いに通信するように適合され、取引システム３が、購入者および小売業者からの所与の情報に従って、購入者１から小売業者２に、または購入者１に属する経済機関１３から小売業者２に属する経済機関２３に、資金３１を移動するように適合される。
【０１１４】
次に、図１および図２を参照すると、一実施形態では、具体的には、携帯デバイス１１および取引システム３が互いに通信し、携帯デバイス１１が、カメラ／ＲＦＩＤならびに類似の無線周波受信機および／または送信機１１１を備え、携帯デバイス１１が、カメラ／ＲＦＩＤおよび類似の無線周波受信機１１１を用いて、ＰＯＳ端末２１のＩＤ２４’を読み取るように適合されることを本発明が教示することが描かれている。したがって、携帯デバイス１１が、ＰＯＳ端末のＩＤ２４および携帯デバイスのＩＤ１４を備えるメッセージＭ１を生成し、かつ取引システム３に伝送するように適合される。
【０１１５】
さらに、ＰＯＳ端末２１が、ＰＯＳ端末のＩＤ２４、および支払われるべき金額２５を備える、メッセージＭ１と時間に関して区別されるメッセージＭ２を生成し、かつ取引システム３に伝送するように適合される。取引システム３が、ＰＯＳ端末のＩＤ２４を用いてメッセージＭ１をメッセージＭ２と照合するように適合され、取引システム３が、同じく、支払われるべき金額２５を備えるメッセージＭ３を生成し、かつ携帯デバイス１１に伝送するように適合される。
【０１１６】
携帯デバイス１１に関しては、携帯デバイス１１が、購入者から支払われるべき金額の承認または拒絶１５を受け取るように適合され、携帯デバイス１１が、同じく、支払われるべき、承認された金額２５に従って、購入者から小売業者への資金移動の承認または拒絶１５を備えるメッセージＭ４を生成し、かつ取引システム３に伝送するように適合される。
【０１１７】
さらに、取引システム３が、購入者１から小売業者２への承認された資金／決済３１の移動を行うように適合され、取引システム３が、さらに、メッセージＭ５を生成し、かつＰＯＳ端末２１に伝送するように適合され、メッセージＭ５は、資金３１の移動の確認３２を備える。
【０１１８】
購入者の口座から小売業者の口座に資金を移動するための手段が取引システム３内で得られ、当業者に周知である。したがって、これらの手段についてより詳細に説明しない。
【０１１９】
購入者が、支払われるべき金額２５を承認するために、携帯デバイス１１が購入者１から個人コードを受け取るように適合される。
【０１２０】
ＰＯＳ端末のＩＤ２４がタグ／ラベル／ＲＦＩＤ２４’により表されてもよく、携帯デバイス１１が、タグ／ラベル２４’をＰＯＳ端末のＩＤ２４に変換するように適合される。タグ／ラベル２４’が、バーコード、クイック・レスポンス・コード、データマトリックス、ＲＦＩＤタグ、またはＳｈｏｔＣｏｄｅなどの独自のコードであってもよい。
【０１２１】
ＰＯＳ端末２１が物理的なＰＯＳ端末であってもよく、この場合、ＰＯＳ端末２１が、倉庫、レストラン、美容院もしくはガソリンスタンドなどの固定したＰＯＳ端末、または移動式のＰＯＳ端末、たとえば、バス、列車、船、タクシー、移動販売代理店、もしくはレストラン内の移動式のＰＯＳ端末および同種のものに属するＰＯＳ端末であってもよい。
【０１２２】
図３を参照すると、パーソナルデバイス１１’がＰＯＳ端末２１として機能するように適合され、かつパーソナルデバイス１１’および携帯デバイス１１が、２者が、すなわちパーソナルデバイス１１’の所有者２’および購入者１が、購入者１からパーソナルデバイス１１’の所有者２’に資金を移動することが可能になるように適合される、本発明の概略的な実装形態が示される。パーソナルデバイス１１’は、パーソナルデバイスの所有者２’を通して取引システム３にアクセスすることができる任意のパーソナルデバイス、たとえば、携帯電話、携帯型コンピュータ、ｉＰａｄ（登録商標）、タッチパッド、ｉＰｈｏｎｅ（登録商標）、アンドロイド電話機、または固定されたコンピュータおよび同種のものであってもよい。
【０１２３】
また、ＰＯＳ端末２１が、図２に示されるように、レジ係のレジであってもよく、この場合、メッセージＭ２を生成し、かつメッセージＭ５を受け取るようにレジ係のレジを適合させることができる。
【０１２４】
さらに、購入者１に対して取引の領収書２６を生成するようにＰＯＳ端末２１を適合させることができる。
【０１２５】
図４は、ＰＯＳ端末２１”が、同じく、小売業者２に関連するサーバ２６によりホスティングされる仮想的なＰＯＳ端末であってもよいことを示し、この場合、ＰＯＳ端末２１”は、インターネット４上で利用可能なオンラインショップであり、購入者により利用される端末１６上で、購入者に対して表示される。
【０１２６】
このサーバ２６が、メッセージＭ２を生成し、かつメッセージＭ５を受け取るように適合されてもよい。また、サーバ２６が、ＰＯＳ端末２１”に対する固有のＩＤ、および固有のＩＤの表示２４”を生成し、かつ各取引に対してＩＤの表示２４”を仮想的なＰＯＳ端末２１”上で表示するように適合されてもよい。
【０１２７】
ＰＯＳ端末２１が購入者１に領収書２６を提供するかしないかにかかわらず、資金３１の移動の確認３２を備えるメッセージＭ６を携帯デバイス１１に伝送するように取引システム３を適合させることできることが理解される。
【０１２８】
ＰＯＳ端末２１が移動式のＰＯＳ端末である場合、ＰＯＳ端末２１が、無線通信を用いて取引システム３と通信するように適合されることが理解される。
【０１２９】
まとめると、本発明は、一実施形態では、購入者１および小売業者２を識別し、かつ購入者１および小売業者２の間で安全な電子決済を行う方法およびシステムを提供し、この場合、前記購入者が、前記小売業者２のＰＯＳ端末の前にいる。ＰＯＳ端末の前が、物理的なＰＯＳ、または前述のような仮想的なＰＯＳ、たとえばインターネット上のホームページとして解釈される。決済という表現により、商品、サービス、ピア・ツー・ピア、および同種のものなどに対する、当事者間の決済の任意の移動が考えられる。これによって、購入者１は、購入を行うために利用されるカメラ／ＲＦＩＤ／ＷｉＦｉならびに類似の無線周波受信機および／または送信機を備える携帯デバイス１１を有する。したがって、本発明は、ＰＯＳ端末２１、２４も購入者１も口座が登録されている取引システム３と通信することを備える。取引システム３が、異なる通信チャネルを通して信号が伝送されることにより、購入者１から小売業者２への決済の移動を精算する。ＰＯＳ端末２１、２４が、有線の第１の通信チャネルおよび無線の第１の通信チャネルのうち少なくとも１つを通して通信し、携帯デバイスが、第２の移動体無線チャネルを介して無線で通信する。取引システムを通して、それぞれの単一の決済に、固有の取引信用照会が提供される。
【０１３０】
携帯デバイス１１が、単一のＰＯＳ端末２１、２４を固有に識別する、ＰＯＳ端末に置かれたタグを写真に撮る／読み取るカメラ／ＲＦＩＤおよび類似の無線周波受信機を用いて、ＰＯＳ端末２１、２４を識別するように、購入者１により動作させられる。その後、携帯デバイス１１により、署名されたメッセージを生成し、第２のチャネルを通して取引システムに伝送される。メッセージは、写真に撮られた／読み取られたタグをソフトウェアが処理することにより得られるＰＯＳ端末２１、２４のＩＤおよび携帯デバイス１１のＩＤを備える。
【０１３１】
自動的に促すことにより、ＰＯＳ端末１２、２４を通して、少なくとも１つのメッセージを生成し、第２のチャネル上で携帯デバイスから取引システムに伝送されたメッセージと時間に関して独立に区別された、少なくとも１つのメッセージを第１のチャネル上で取引システムに転送する。少なくとも１つのメッセージが、少なくとも、ＰＯＳ端末のＩＤ、購入者により支払われるべき金額を備える。自動的に促すことによりとは、購入者が決済を終えたときに、たとえば特定のボタンまたは同種のものを押すことにより、たとえばＰＯＳにあるレジがメッセージの自動伝送を開始しなければならないという意味を有する。
【０１３２】
口座が登録されている取引システム３が、第１のチャネルを通してＰＯＳ端末から伝送された少なくとも１つのメッセージを、第２のチャネルを通して携帯デバイスから伝送されたメッセージと、取引システムにより照合して、ＰＯＳ端末のＩＤにより類似性を判定する。この文脈では、口座が登録されているとは、取引システム３が一般に行われているようにクレジット・カード・クリアリング・ハウスに依存するということではなく、本発明の取引システム３が、システム内にすべての購入者および小売業者の口座に関する情報を備えることを意味する。
【０１３３】
さらに、照合により、第１および第２のチャネルを介して伝送されたＰＯＳ端末のＩＤ間に類似性が判定された場合に、開始の許可を取引システムに伝送するように携帯デバイスを促すことにより、支払われるべき金額を購入者が承認しなければならない。したがって、購入者の詳細がこのようにＰＯＳ端末に対して匿名であるが、ＰＯＳ端末および購入者の両方の購入ＩＤが取引システム３に知られ、取引システム３が、購入者から決済を引き出し、かつたとえばソフトウェアを用いてＰＯＳ端末の固有の取引信用照会を提供された購入に対するＰＯＳ端末に関連する口座の貸方に記入することにより決済を精算する。
【０１３４】
一実施形態では、前述の説明に従って、Ｍ１〜Ｍ６のようなメッセージを符号化し、第１のチャネルおよび第２のチャネルを通して信号で伝えることができ、それにより、ＰＯＳ端末からの信号が第１のチャネル上で伝送され、携帯デバイスからの信号が第２のチャネル上で伝送されることが理解される。また、伝送Ｍ１〜Ｍ６の数は、口座が登録されている取引システムとの間の通信をどのように達成することができるかの多くの他の例の中の単なる例でしかないことが理解される。
【０１３５】
図５は、本発明による取引システムによる、ＰＯＳ端末および購入者の間の信号方式を概略的に示す。図５は、本発明の当業者には自明である。しかし、図５は、安全な取引で鍵情報がどのように照合され、ＰＯＳ端末２１、２４および携帯デバイス１１の間で取引サーバ３によりどのように仲介されるかを示す。
【０１３６】
さらに、本発明は、携帯デバイスにより実行されたときに、カメラ／ＲＦＩＤ／ＷｉＦｉならびに類似の無線周波受信機および／または送信機を備える携帯デバイスが、ＩＤの場面を撮る／ＩＤを読み取るカメラ／ＲＦＩＤおよび類似の無線周波受信機を用いて、単一のＰＯＳ端末で携帯デバイス内のソフトウェアによりＩＤを読み取る以下のステップを行うことを可能にするコンピュータ・プログラム・コードを備えるコンピュータプログラムを提供する。
【０１３７】
一実施形態では、コンピュータプログラムは、携帯デバイスの適切な部分が、プログラムコードで添付の請求項１〜１３の、前記携帯デバイスに関連する方法を行うことを説明する。
【０１３８】
さらにまた、本発明は、単一のＰＯＳ端末で実行されたときに、ＰＯＳ端末に関連する適切な部分がプログラムコードで請求項１〜１３の方法ステップを行うことをＰＯＳ端末に可能にするコンピュータ・プログラム・コードを備えるコンピュータプログラムを提供する。これは、伝送を行うようにＰＯＳ端末を促すことによりＰＯＳ端末のＩＤを伝送するステップを行うためのものである。両方の伝送されたＩＤが照合する場合に、購入を精算するために、ＰＯＳ端末のＩＤを備える、携帯デバイスから時間に関して独立して伝送されるメッセージと照合されるように、口座が登録されている取引システム３にＰＯＳ端末のＩＤが送信される。
【０１３９】
さらに、本発明は、口座が登録されている取引システム３により実行されたときに、システム３が、プログラムコードで添付の請求項１〜１３の方法ステップの、取引システムに関する適切な部分を行うことが可能になるコンピュータ・プログラム・コードを備えるコンピュータプログラムを提供し、それにより、携帯デバイスおよびＰＯＳ端末から伝送されたＩＤを照合するステップ、および携帯デバイスおよびＰＯＳ端末の間の購入で口座を精算するステップなどのステップを行う。これによって、ＰＯＳ端末および携帯デバイスにメッセージを伝送する。
【０１４０】
添付の１組の図面では、異なるコンピュータプログラム５、６、７が、ユニット内部で動作可能であり、かつこのユニットのメモリ領域に記憶されるとして示されている。しかしながら、同じく、商用化および配布のために利用可能になるように、揮発性または不揮発性の、任意の種類のコンピュータ可読媒体にコンピュータプログラム５、６、７を記憶することができることが理解される。
【０１４１】
上記で説明されたすべての通信では、さまざまな、生成され伝送されるメッセージが特定の情報を備えることが描かれており、これらのメッセージが、ここでは指定されない他の情報を、すなわち通信を保護するために必要な情報、または資金移動を行うために取引システム内で購入者および／もしくは小売業者を識別するために必要とされることがある他の情報を備えてもよいことが理解されよう。
【０１４２】
本発明が、前述の説明および図示される本発明の例示的実施形態に限定されないこと、および付属する添付の特許請求の範囲により規定される本発明の範囲内で修正を行うことができることが理解される。